【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
統括装置と、無線基地局と、無線端末とを備える通信システムであって、
前記統括装置は、
第１のセキュリティ情報よりも新しいセキュリティ情報である第２のセキュリティ情報の入力を受け付ける入力部と、
前記第１のセキュリティ情報及び前記第２のセキュリティ情報を記憶する装置記憶部と、
前記第２のセキュリティ情報を前記第１のセキュリティ情報で暗号化することで、暗号化された第２のセキュリティ情報を生成する装置制御部と、
前記暗号化された第２のセキュリティ情報を前記無線基地局及び前記無線端末に送信する装置通信部と、を備え、
前記無線基地局は、
前記暗号化された第２のセキュリティ情報を受信する第１の基地局通信部と、
前記暗号化された第２のセキュリティ情報を前記無線端末に送信する第２の基地局通信部と、
前記第１のセキュリティ情報を記憶する基地局記憶部と、
前記第１のセキュリティ情報を用いて前記暗号化された第２のセキュリティ情報を復号することで、前記第２のセキュリティ情報を取得し、前記第２のセキュリティ情報を前記基地局記憶部に記憶させる基地局制御部と、を備え、
前記無線端末は、
前記暗号化された第２のセキュリティ情報を受信する端末通信部と、
前記第１のセキュリティ情報を記憶する端末記憶部と、
前記第１のセキュリティ情報を用いて前記暗号化された第２のセキュリティ情報を復号することで、前記第２のセキュリティ情報を取得し、前記第２のセキュリティ情報を前記端末記憶部に記憶させる端末制御部と、を備え、
前記装置制御部は、前記第１のセキュリティ情報を前記第２のセキュリティ情報に切り替える指示である切替指示を前記第１のセキュリティ情報で暗号化することで、暗号化された切替指示を生成してから、前記統括装置で使用するセキュリティ情報を前記第１のセキュリティ情報から前記第２のセキュリティ情報に切り替え、
前記装置通信部は、前記暗号化された切替指示を前記無線基地局及び前記無線端末に送信し、
前記第１の基地局通信部は、前記暗号化された切替指示を受信し、
前記第２の基地局通信部は、前記暗号化された切替指示を前記無線端末に送信し、
前記基地局制御部は、前記第１のセキュリティ情報を用いて前記暗号化された切替指示を復号することで、前記切替指示を取得し、前記切替指示に従って、前記無線基地局で使用するセキュリティ情報を、前記第１のセキュリティ情報から前記第２のセキュリティ情報に切り替え、
前記端末通信部は、前記暗号化された切替指示を受信し、
前記端末制御部は、前記第１のセキュリティ情報を用いて前記暗号化された切替指示を復号することで、前記切替指示を取得し、前記切替指示に従って、前記無線端末で使用するセキュリティ情報を、前記第１のセキュリティ情報から前記第２のセキュリティ情報に切り替えること
を特徴とする通信システム。
【請求項２】
前記装置記憶部は、前記統括装置で使用するセキュリティ情報を示す装置使用識別情報を記憶しており、
前記装置制御部は、前記装置使用識別情報を前記第２のセキュリティ情報を示すように更新することで、前記統括装置で使用するセキュリティ情報を前記第１のセキュリティ情報から前記第２のセキュリティ情報に切り替え、
前記基地局記憶部は、前記無線基地局で使用するセキュリティ情報を示す基地局使用識別情報を記憶しており、
前記基地局制御部は、前記基地局使用識別情報を前記第２のセキュリティ情報を示すように更新することで、前記無線基地局で使用するセキュリティ情報を前記第１のセキュリティ情報から前記第２のセキュリティ情報に切り替え、
前記端末記憶部は、前記無線端末で使用するセキュリティ情報を示す端末使用識別情報を記憶しており、
前記端末制御部は、前記端末使用識別情報を前記第２のセキュリティ情報を示すように更新することで、前記無線端末で使用するセキュリティ情報を前記第１のセキュリティ情報から前記第２のセキュリティ情報に切り替えること
を特徴とする請求項１に記載の通信システム。
【請求項３】
前記端末制御部は、前記無線端末で使用するセキュリティ情報を示す接続開始メッセージを生成し、
前記端末通信部は、前記接続開始メッセージを前記無線基地局に送信し、
前記第２の基地局通信部は、前記接続開始メッセージを受信し、
前記基地局制御部は、前記接続開始メッセージで示されるセキュリティ情報が、前記無線基地局で使用するセキュリティ情報と一致するか否かを判断し、前記接続開始メッセージで示されるセキュリティ情報が、前記無線基地局で使用するセキュリティ情報と一致する場合には、前記無線端末との通信を開始すること
を特徴とする請求項１又は２に記載の通信システム。
【請求項４】
前記基地局制御部は、前記接続開始メッセージで示されるセキュリティ情報が、前記無線基地局で使用するセキュリティ情報と一致しない場合には、前記基地局記憶部に、前記接続開始メッセージで示されるセキュリティ情報が記憶されているか否かを判断し、前記接続開始メッセージで示されるセキュリティ情報が記憶されているときには、前記無線基地局で使用するセキュリティ情報を、前記接続開始メッセージで示されるセキュリティ情報に切り替えて、前記無線端末との通信を開始すること
を特徴とする請求項３に記載の通信システム。
【請求項５】
統括装置と通信する無線基地局であって、
前記無線基地局は、
第１のセキュリティ情報を記憶する基地局記憶部と、
前記第１のセキュリティ情報よりも新しいセキュリティ情報である第２のセキュリティ情報を前記第１のセキュリティ情報で暗号化することで生成された、暗号化された第２のセキュリティ情報を、前記統括装置から受信する第１の基地局通信部と、
前記第１のセキュリティ情報を用いて前記暗号化された第２のセキュリティ情報を復号することで、前記第２のセキュリティ情報を取得し、前記第２のセキュリティ情報を前記基地局記憶部に記憶させる基地局制御部と、を備え、
前記第１の基地局通信部は、前記第１のセキュリティ情報を前記第２のセキュリティ情報に切り替える指示である切替指示を前記第１のセキュリティ情報で暗号化することで生成された、暗号化された切替指示を、前記統括装置から受信し、
前記基地局制御部は、前記第１のセキュリティ情報を用いて前記暗号化された切替指示を復号することで、前記切替指示を取得し、前記切替指示に従って、前記無線基地局で使用するセキュリティ情報を、前記第１のセキュリティ情報から前記第２のセキュリティ情報に切り替えること
を特徴とする無線基地局。
【請求項６】
前記基地局記憶部は、前記無線基地局で使用するセキュリティ情報を示す基地局使用識別情報を記憶しており、
前記基地局制御部は、前記基地局使用識別情報を前記第２のセキュリティ情報を示すように更新することで、前記無線基地局で使用するセキュリティ情報を前記第１のセキュリティ情報から前記第２のセキュリティ情報に切り替えること
を特徴とする請求項５に記載の無線基地局。
【請求項７】
無線端末と通信する第２の基地局通信部をさらに備え、
前記第２の基地局通信部は、前記無線端末で使用するセキュリティ情報を示す接続開始メッセージを、前記無線端末から受信し、
前記基地局制御部は、前記接続開始メッセージで示されるセキュリティ情報が、前記無線基地局で使用するセキュリティ情報と一致するか否かを判断し、前記接続開始メッセージで示されるセキュリティ情報が、前記無線基地局で使用するセキュリティ情報と一致する場合には、前記無線端末との通信を開始すること
を特徴とする請求項５又は６に記載の無線基地局。
【請求項８】
前記基地局制御部は、前記接続開始メッセージで示されるセキュリティ情報が、前記無線基地局で使用するセキュリティ情報と一致しない場合には、前記基地局記憶部に、前記接続開始メッセージで示されるセキュリティ情報が記憶されているか否かを判断し、前記接続開始メッセージで示されるセキュリティ情報が記憶されているときには、前記無線基地局で使用するセキュリティ情報を、前記接続開始メッセージで示されるセキュリティ情報に切り替えて、前記無線端末との通信を開始すること
を特徴とする請求項７に記載の無線基地局。
【請求項９】
無線基地局と通信する無線端末であって、
前記無線端末は、
第１のセキュリティ情報を記憶する端末記憶部と、
前記第１のセキュリティ情報よりも新しいセキュリティ情報である第２のセキュリティ情報を前記第１のセキュリティ情報で暗号化することで生成された、暗号化された第２のセキュリティ情報を、前記無線基地局から受信する端末通信部と、
前記第１のセキュリティ情報を用いて前記暗号化された第２のセキュリティ情報を復号することで、前記第２のセキュリティ情報を取得し、前記第２のセキュリティ情報を前記端末記憶部に記憶させる端末制御部と、を備え、
前記端末通信部は、前記第１のセキュリティ情報を前記第２のセキュリティ情報に切り替える指示である切替指示を前記第１のセキュリティ情報で暗号化することで生成された、暗号化された切替指示を、前記無線基地局から受信し、
前記端末制御部は、前記第１のセキュリティ情報を用いて前記暗号化された切替指示を復号することで、前記切替指示を取得し、前記切替指示に従って、前記無線端末で使用するセキュリティ情報を、前記第１のセキュリティ情報から前記第２のセキュリティ情報に切り替えること
を特徴とする無線端末。
【請求項１０】
前記端末記憶部は、前記無線端末で使用するセキュリティ情報を示す端末使用識別情報を記憶しており、
前記端末制御部は、前記端末使用識別情報を前記第２のセキュリティ情報を示すように更新することで、前記無線端末で使用するセキュリティ情報を前記第１のセキュリティ情報から前記第２のセキュリティ情報に切り替えること
を特徴とする請求項９に記載の無線端末。
【請求項１１】
無線基地局と通信する統括装置であって、
第１のセキュリティ情報よりも新しいセキュリティ情報である第２のセキュリティ情報の入力を受け付ける入力部と、
前記第１のセキュリティ情報及び前記第２のセキュリティ情報を記憶する装置記憶部と、
前記第２のセキュリティ情報を前記第１のセキュリティ情報で暗号化することで、暗号化された第２のセキュリティ情報を生成する装置制御部と、
前記暗号化された第２のセキュリティ情報を前記無線基地局に送信する装置通信部と、を備え、
前記装置制御部は、前記第１のセキュリティ情報を前記第２のセキュリティ情報に切り替える指示である切替指示を前記第１のセキュリティ情報で暗号化することで、暗号化された切替指示を生成してから、前記統括装置で使用するセキュリティ情報を前記第１のセキュリティ情報から前記第２のセキュリティ情報に切り替え、
前記装置通信部は、前記暗号化された切替指示を前記無線基地局に送信すること
を特徴とする統括装置。
【請求項１２】
前記装置記憶部は、前記統括装置で使用するセキュリティ情報を示す装置使用識別情報を記憶しており、
前記装置制御部は、前記装置使用識別情報を前記第２のセキュリティ情報を示すように更新することで、前記統括装置で使用するセキュリティ情報を前記第１のセキュリティ情報から前記第２のセキュリティ情報に切り替えること
を特徴とする請求項１１に記載の統括装置。
【手続補正２】
【補正対象書類名】明細書
【補正対象項目名】発明の名称
【補正方法】変更
【補正の内容】
【発明の名称】通信システム、無線基地局、無線端末及び統括装置
【手続補正３】
【補正対象書類名】明細書
【補正対象項目名】０００１
【補正方法】変更
【補正の内容】
【０００１】
本発明は、通信システム、無線基地局、無線端末及び統括装置に関する。